(57)【要約】【課題】電源スイッチの状態にかかわらず電力消費効率に優れた除湿を可能とする。【解決手段】給紙カセットに収納された用紙を画像形成手段に給紙し、前記画像形成手段によって前記用紙上に画像を形成する画像形成装置において、給紙カセットに収納された用紙の除湿を行うための除湿ヒータ２と、画像形成動作及び除湿ヒータ２を制御する制御部１１と、用紙の属性を設定するための操作部１３と、画像形成動作中にジャムが発生したとき、ジャム発生時に設定されていた用紙の属性、プリント条件、及び環境条件毎のプリント情報とジャムが発生したことを示すジャム情報とを関連付けてジャム発生情報として記憶するジャム履歴ＤＢ２０とを備え、制御部１１は、前記ジャム履歴ＤＢ２０に記憶されたジャム発生情報に基づいて除湿ヒータ２の通電制御を行う。【選択図】図２
2009075153.tif 000002
【特許請求の範囲】
【請求項１】
給紙カセットに収納された用紙を画像形成手段に給紙し、前記画像形成手段によって前記用紙上に画像を形成する画像形成装置において、
前記給紙カセットに収納された用紙の除湿を行うための除湿手段と、
画像形成動作及び前記加熱手段を制御する制御手段と
用紙の属性を設定するための操作手段と、
画像形成動作中にジャムが発生したとき、ジャム発生時に設定されていた用紙の属性、プリント条件、及び環境条件毎のプリント情報とジャムが発生したことを示すジャム情報を関連付けてジャム発生情報として記憶する記憶手段と、
を備え、
前記制御手段は、前記記憶手段に記憶された前記ジャム発生情報に基づいて前記除湿手段の動作制御を行うことを特徴とする画像形成装置。
【請求項２】
請求項１記載の画像形成装置において、
前記制御手段は前記操作手段を介して設定された用紙の属性に対応するジャム発生情報を前記記憶手段から検索し、ジャムが検索されたとき、前記除湿手段を動作させることを特徴とする画像形成装置。
【請求項３】
請求項２記載の画像形成装置において、
前記操作手段を介して設定された用紙の属性に対応するジャム発生情報を前記記憶手段から検索し、当該ジャムが検索された場合、同一の設定により過去にジャムが発生し、前記除湿手段を動作させた旨を報知する報知手段を備えていることを特徴とする画像形成装置。
【請求項４】
請求項１ないし３のいずれか１項に記載の画像形成装置において、
前記制御手段は、前記記憶手段における同一内容のジャム発生情報の数を集計し、その数をジャム発生回数として前記記憶手段に記憶させることを特徴とする画像形成装置。
【請求項５】
請求項４記載の画像形成装置において、
前記操作手段を介して前記加熱手段をＯＦＦさせるジャム発生の閾値が設定され、
前記制御手段は前記ジャム発生回数が前記設定された閾値以上の場合に前記除湿手段の動作を停止させることを特徴とする画像形成装置。
【請求項６】
請求項４記載の画像形成装置において、
前記ジャム発生回数が前記閾値以上になったときに、前記報知手段により該当するジャムに対して前記除湿手段が効果ないことを報知するか、あるいは前記除湿手段を停止させるかを選択する選択手段を備えていることを特徴とする画像形成装置。
【請求項７】
請求項１記載の画像形成装置において、
前記用紙の属性がプリント用紙の種類、サイズ、斤量の少なくとも１つを含むことを特徴とする画像形成装置。
【請求項８】
請求項１記載の画像形成装置において、
前記プリント条件が片面又は両面のプリントであることを特徴とする画像形成装置。
【請求項９】
請求項１記載の画像形成装置において、
前記プリント条件がプリントに使用した給紙トレイを含むことを特徴とする画像形成装置。
【請求項１０】
請求項１記載の画像形成装置において、
前記プリント条件が後処理条件を含むことを特徴とする画像形成装置。
【請求項１１】
請求項１記載の画像形成装置において、
プリント時の環境条件を検出する環境条件検出手段を備え、
前記記憶手段は、ジャムが発生すると、用紙の属性、プリント条件、及び前記環境条件検出手段によって検出されたジャムの発生時の環境条件をジャム発生情報として記憶することを特徴とする画像形成装置。
【請求項１２】
請求項１１記載の画像形成装置において、
前記環境条件はプリント時の温度、湿度の１つを含むことを特徴とする画像形成装置。
【請求項１３】
請求項１ないし１２のいずれか１項に記載の画像形成装置において、
前記除湿手段が除湿ヒータ又は送風ファンであることを特徴とする画像形成装置。
【請求項１４】
請求項１ないし１３のいずれか１項に記載の画像形成装置において、
ネットワークを介して接続された他の画像形成装置とジャム発生情報を送受信する通信手段を備え、
前記記憶手段に他の画像形成装置から受信したジャム発生情報を記憶すること
を特徴とする画像形成装置。
【請求項１５】
請求項１４記載の画像形成装置において、
前記記憶手段に記憶されたジャム発生回数が前記閾値を超えた場合は、前記ネットワークを介して、ジャム発生条件を管理センタに送信することを特徴とする画像形成装置。
【発明の詳細な説明】
【技術分野】
【０００１】
本発明は、シート状記録媒体に画像形成を行うレーザープリンタ、デジタル複写機、ファクシミリ、及びこれらの機能を複合して有するデジタル複合機等の画像形成装置に関し、特に、結露防止や除湿のための加熱源を備えた画像形成装置に関する。
【背景技術】
【０００２】
複写機のように電子写真方式を用いた画像形成装置では、装置の機械内部の給紙カセット設置環境によって、紙詰まりが発生する等の問題がある。その対策として、給紙カセットを除湿するヒータを要部に配置し、電源スイッチがオフされる夜間であっても、そのヒータを作動させるように給電ラインが設けられている。このヒータは、湿度飽和後に適切な湿度になるように制御し、その制御に基づいて消費電力が決定されているのが一般的で、通常は何ら制御されず通電状態が維持される。そのため、省電力の観点から、給電ラインにヒータへの通電を制御するタイマの接点を介在させ、結露の可能性の高い明け方に通電されるように構成されたものが提案されている。この一例として特許文献１記載の発明が公知である。
【０００３】
この発明は、電源スイッチのオフ時において、必要な電力のみを消費できるようにし、全体として消費電力の軽減を図るようにしたもので、画像を形成して出力する画像形成部と、この画像形成部の所定部を保温する加熱源とを有する画像形成装置において、前記画像形成部の負荷を電源ラインに接続するとともに、この電源ラインを分岐し、この分岐した電源ラインに前記加熱源を接続し、前記電源ラインの分岐部には、前記画像形成部の負荷と前記加熱源への電力の供給を切り換える電源スイッチを設け、前記分岐後の電源ラインに、前記加熱源の通電を制御するタイマの接点を介在させたことを特徴としている。
【特許文献１】特開平９−２６９７０６号公報
【発明の開示】
【発明が解決しようとする課題】
【０００４】
しかし、前記公知技術では、電源スイッチのオフされている夜間に除湿されるものに過ぎず、電源スイッチがオンされている昼間であっても紙の湿度が高くなりジャムの発生しやすい設置環境では効果はない。そこで、電源スイッチのオン時にも作動させると、省電力の要請に反するものとなる。特に近年、省電力のために、定着温度の制御のみならず、搭載されている記憶媒体であるハードディスクドライブへの電源供給のオフ、制御用マイクロコンピュータのＣＰＵのスリープ、制御電源のオフ等の複数制御が段階的に行われている状況で、電源スイッチの状態にかかわらず効率よく除湿するために更なる改善の余地がある。
【０００５】
そこで、本発明が解決すべき課題は、電源スイッチの状態にかかわらず電力消費効率に優れた除湿を可能とすることにある。
【課題を解決するための手段】
【０００６】
前記課題を解決するため、第１の手段は、給紙カセットに収納された用紙を画像形成手段に給紙し、前記画像形成手段によって前記用紙上に画像を形成する画像形成装置において、前記給紙カセットに収納された用紙の除湿を行うための加熱手段と、画像形成動作及び前記加熱手段を制御する制御手段と、用紙の属性を設定するための操作手段と、画像形成動作中にジャムが発生したとき、ジャム発生時に設定されていた用紙の属性、プリント条件、及び環境条件毎のプリント情報とジャムが発生したことを示すジャム情報を関連付けてジャム発生情報として記憶する記憶手段とを備え、前記制御手段は、前記記憶手段に記憶された前記ジャム発生情報に基づいて前記除湿手段の動作制御を行うことを特徴とする。
【０００７】
第２の手段は、第１の手段において、前記制御手段は前記操作手段を介して設定された用紙の属性に対応するジャム発生情報を前記記憶手段から検索し、ジャムが検索されたとき、前記除湿手段を動作させることを特徴とする。
【０００８】
第３の手段は、第２の手段において、前記操作手段を介して設定された用紙の属性に対応するジャム発生情報を前記記憶手段から検索し、当該ジャムが検索された場合、同一の設定により過去にジャムが発生し、前記除湿手段動作させた旨を報知する報知手段を備えていることを特徴とする。
【０００９】
第４の手段は、第１ないし第３のいずれかの手段において、前記制御手段は、前記記憶手段における同一内容のジャム発生情報の数を集計し、その数をジャム発生回数として前記記憶手段に記憶させることを特徴とする。
【００１０】
第５の手段は、第４の手段において、前記操作手段を介して前記加熱手段をＯＦＦさせるジャム発生の閾値が設定され、前記制御手段は前記ジャム発生回数が前記設定された閾値以上の場合に前記除湿手段の動作を停止させることを特徴とする。
【００１１】
第６の手段は、第４の手段において、前記ジャム発生回数が前記閾値以上になったときに、前記報知手段により該当するジャムに対して前記除湿手段が効果ないことを報知するか、あるいは前記除湿手段の動作を停止させるかを選択する選択手段を備えていることを特徴とする。
【００１２】
第７の手段は、第１の手段において、前記用紙の属性がプリント用紙の種類、サイズ、斤量の少なくとも１つを含むことを特徴とする。
【００１３】
第８の手段は、第１の手段において、前記プリント条件が片面又は両面のプリントであることを特徴とする。
【００１４】
第９の手段は、第１の手段において、前記プリント条件がプリントに使用した給紙トレイを含むことを特徴とする。
【００１５】
第１０の手段は、第１の手段において、前記プリント条件が後処理条件を含むことを特徴とする。
【００１６】
第１１の手段は、第１の手段において、プリント時の環境条件を検出する環境条件検出手段を備え、前記記憶手段は、ジャムが発生すると、用紙の属性、プリント条件、及び前記環境条件検出手段によって検出されたジャム発生時の環境条件をジャム発生情報として記憶することを特徴とする。
【００１７】
第１２の手段は、第１１の手段において、前記環境条件はプリント時の温度、湿度の１つを含むことを特徴とする。
【００１８】
第１３の手段は、第１ないし第１２のいずれかの手段において、前記除湿手段が除湿ヒータ又は送風ファンであることを特徴とする。
【００１９】
第１４の手段は、第１ないし第１３のいずれかの手段に係る画像形成装置において、ネットワークを介して接続された他の画像形成装置とジャム発生情報を送受信する通信手段を備え、前記記憶手段に他の画像形成装置から受信したジャム発生情報を記憶することを特徴とする。
【００２０】
第１５の手段は、第１４の手段において、前記記憶手段に記憶されたジャム発生回数が前記閾値を超えた場合は、前記ネットワークを介して、ジャム発生条件を管理センタに送信することを特徴とする。
【００２１】
なお、後述の実施形態では、除湿手段は除湿ヒータ２あるいは除湿ヒータ部１２、もしくは図示しない送風ファンに、制御手段は制御部１１に、操作手段は操作部１３に、記憶手段はジャム履歴ＤＢ２０を含む記録部１５に、通信手段は通信部１９に、ネットワークは符号ＮＴに、それぞれ対応する。
【発明の効果】
【００２２】
本発明によれば、記憶手段に記憶されたジャム発生情報に基づいて加熱手段の通電制御を行うので、電源スイッチの状態にかかわらず電力消費効率に優れた除湿を行うことができる。
【発明を実施するための最良の形態】
【００２３】
以下、図面を参照し、本発明の実施形態について説明する。
【００２４】
図１は本実施形態に係る画像形成装置の全体構成を示す斜視図である。同図に示すように画像形成装置１の本体下部には給紙カセット３が装着され、前記本体内部には給紙カセット３を除湿し、記録用紙のジャムを防止する除湿ヒータ２が配置されている。画像形成装置１自体の内部構成は公知なので、読み取り手段、書き込み手段、画像形成手段、用紙搬送手段などの機械的な各部構成については説明を省略する。なお、装置前面上部には、後述の操作部１３及び表示部１４が設けられている。
【００２５】
図２は図１に示した画像形成装置１の制御構成の概略を示すブロック図である。同図に示すように省電力動作を制御するメイン制御マイクロコンピュータで構成されている制御部１１に対して、書き込み手段、画像形成手段、用紙搬送手段などを含むプリンタ１６、画像読み取り手段としての画像読取部１８、センサ１７、通信部１９、操作部１３、表示部１４、記録部１５、及び除湿ヒータ制御回路２１がそれぞれ接続されている。このうち、除湿ヒータ制御回路２１は画像形成装置の給紙カセット３等に配置された除湿ヒータ２で構成される除湿ヒータ部１２を制御するもので、除湿ヒータ２への通電を制御するための半導体スイッチ回路で構成されている。また、制御部１１は、前記除湿ヒータ制御回路２１に対して除湿ヒータを通電させるための駆動信号を出力する。なお、制御部１１は、ＣＰＵ、ＲＯＭ、及びＲＡＭ２２を少なくとも備え、ＣＰＵはＲＯＭに格納されたプログラムコードをＲＡＭ２２に展開し、当該ＲＡＭ２２をワークエリアとして使用し、前記プログラムコードによって定義されるプログラムを実行する。
【００２６】
センサ１７は除湿ヒータ２が設置された部分の湿度や温度を検出する環境センサであり、記録部１５は過去に発生したジャムに関するジャム情報を管理するためのもので、ジャム記録履歴ＤＢ２０を記憶するＨＤＤからなる。表示部１４はＬＣＤから構成され、除湿ヒータ２のＯＮ、ＯＦＦ等のユーザインターフェイスとして機能する。操作部１３はプリンタの用紙サイズ、斤量当の属性、あるいはプリントの部数、両面／片面プリント、プリント倍率等のプリント条件、ジャム発生回数の閾値等を設定するための各種キーを有し、表示部１４と一体に構成されたタッチパネルを備え、操作に対応する操作信号を制御部１１に出力する。通信部１９はＮＩＣ等の通信用のインターフェイスを備え、ネットワークＮＴを介して外部データとの送受信を行う。
【００２７】
大略前述のように構成された画像形成装置では、ジャム処理のためにジャムの履歴を管理する。この履歴管理処理は、ジャムが発生した際にジャムの履歴を蓄積するものである。図３はこの履歴管理処理の処理手順を示すフローチャートである。この履歴管理処理では、説明の前提としてプリント用紙の属性、プリント条件がユーザによって設定され、設定されたプリント用紙の属性及びプリント条件の設定情報は、制御部１１内のＲＡＭ２２に一時記憶される。
【００２８】
そして、その設定に応じたジョブが実行中にジャムが発生すると、制御部１１により、ＨＤＤからなる記憶部１５に記載されたジャム記録履歴ＤＢ２０が参照される。図４はジャム記録履歴ＤＢ２０の内容を示す図である。同図から分かるように、ジャム発生情報として、ジャム発生時に、ユーザにより設定されていたプリント用紙の属性（用紙の種類、斤量、サイズ等）、プリント条件（片面／両面、給紙トレイ、後処理設定の内容）、環境条件（温度、湿度）とジャムが発生したことを示す発生情報（ジャム発生回数）が関連付けられて記憶されている。
【００２９】
このような条件下で、ジャムが発生すると、ジャム発生時のプリント用紙の属性、プリント条件の設定条件の設定情報を取得し（ステップＳ１０１）、前記判別されたプリント用紙の属性及びプリント条件の設定に一致するジャム情報が検索される（ステップＳ１０２）。次いで、プリント用紙の属性及びプリント条件と同一設定のジャムが発生した場合は（ステップＳ１０３−Ｙ）、ジャム発生情報において、ジャム発生回数がカウントアップされ、ジャム記録履歴ＤＢ２０が更新記録される（ステップＳ１０４）。一方、同一設定のジャム発生情報が検索されなかった場合（ステップＳ１０３−Ｎ）、ジャム記録履歴ＤＢ２０において新規のジャム発生情報が作成され、ジャムの発生回数が初期値１に設定される（ステップＳ１０５）。
【００３０】
このような履歴管理処理によるジャム記録履歴ＤＢ２０に記憶されたジャム発生情報に基づき、過去におけるジャム発生率が高いプリント用紙の属性及びプリント条件の設定については、プリント設定時に制御手段１から前記除湿ヒータ制御回路２１に対して除湿ヒータ部１２を通電させるための駆動信号を出力して除湿ヒータ３をＯＮにし、その旨を報知する。図５はこのときの処理手順を示すフローチャートである。なお、除湿ヒータ２をＯＮにしたときにジャム低減に効果があるかないかの判断は、事前にユーザがジャム発生回数の閾値を操作部１３から入力しておき、この閾値に基づいて行う。ジャム低減に除湿ヒータ２が効果なしと判断したとき、制御部１１から除湿ヒータ制御回路２１に対して駆動信号の出力を停止し、制御部１１から除湿ヒータ２をＯＦＦするか、除湿ヒータ２がジャム低減に効果ない旨を報知し、そのまま除湿ヒータをＯＮにしておくか、選択できる。
【００３１】
図５の処理手順では、まず、操作部１３からユーザによりプリント用紙の属性及びプリント条件を設定入力すると、制御部１１のＲＡＭ２２内に一時記憶され（ステップＳ２０１）、プリントが行われる。次いて、制御部１１からジャム記録履歴ＤＢ２０が参照され、そのプリント用紙の属性及びプリント条件の設定と一致するジャム発生情報が検索される（ステップＳ２０２）。同一設定のジャム発生情報が検索されない場合は（ステップＳ２０３−Ｎ）、本処理を終了する。
【００３２】
同一設定のジャムが発生したことが検索された場合は（ステップＳ２０３−Ｙ）、制御部１１から除湿ヒータ制御回路２１に対して除湿ヒータ部１２に通電するための駆動信号を出力し、除湿ヒータ２をＯＮし、除湿ヒータ２がＯＮした旨を表示部１４に表示する（ステップＳ２０５）。その後、検索されたジャム発生情報に基づいて制御部１１でジャム発生回数が判別される。この判別では、予めユーザ（オペレータ）により設定されたジャム発生回数の閾値情報が記憶部１５から読み出され、ジャム発生回数は当該閾値を超えたか否かが判定される（ステップＳ２０６）。
【００３３】
この判定でジャム発生回数が閾値を超えていない場合は（ステップＳ２０６−Ｎ）、過去にジャムが発生しているものの、まだ除湿ヒータをＯＦＦする段階ではないと判断され、本処理を終了する。一方、ジャム発生回数が閾値を超えた場合（ステップＳ２０６−Ｙ）、ジャムに除湿ヒータは効果なしと判断され、除湿ヒータをＯＦＦするかしないかユーザが判断し（ステップＳ２０７）、判断結果を操作部１３から入力する。操作部１３から除湿ヒータＯＦＦを選択すると（ステップＳ２０６−Ｙ）、制御部１１から除湿ヒータ制御回路２１に対する駆動信号の出力を停止し、除湿ヒータ２をＯＦＦし（ステップＳ２０８）、表示部１４に除湿ヒータ２をＯＦＦにした旨を通知する（ステップＳ２０９）。
【００３４】
一方、操作部１３から除湿ヒータをＯＦＦしない、を選択すると（ステップＳ２０７−Ｎ）、除湿ヒータ２はジャムに効果がないことを表示部１４に表示する（ステップＳ２１０）。その後、通信部１９を介して管理センタ等のサーバにジャム情報を送信するか否かを判断し（ステップＳ２１１）、送信する場合には、ネットワークＮＴを介してサーバにジャム情報を送信して（ステップＳ２１２）処理を終え、送信しない場合には、そのまま処理を終える。なお、管理センタ側では、サーバに送信されてきたジャム情報から、多発するジャムに対応してメンテナンスすることが可能になる。
【００３５】
これにより、サーバにおいて同じ機種の画像形成装置に当該のジャム発生情報を送信して、同様にジャム発生情報の報知を行うことにより、ジャム発生率の高い条件の情報を共有化することができる。
【００３６】
また、さらに管理センタ等に詳細なジャム発生情報を提供すると、サービスマンがメンテナンス時に前記ジャム情報を参考にして適切なメンテナンスを行うことも可能となる。なお、サーバは管理センタとは別の個所に設け、画像形成装置はサーバを介して管理センタにジャム情報を送信することもできる。
【００３７】
なお、本実施形態では、図２に示すよう除湿ヒータ２によって除湿を行っているが、除湿ヒータ２に代えて、あるいは除湿ヒータに加えて送風ファンを設け、同様の制御を実施し、除湿ヒータ２設置時と同様の除湿制御を行うことができる。この場合、画像形成装置に予め設置されている送風ファンを使用して同様の制御を行うことも可能である。
【００３８】
以上のように本実施形態によれば、以下のような効果がある。  
１）操作部１３からユーザによりプリント用紙の属性及びプリント条件を設定入力すると、ジャム記録履歴ＤＢ２０が参照され、そのプリント用紙の属性及びプリント条件の設定と一致するジャム発生情報が検索され、当該ジャムが検索された場合、除湿ヒータ２をＯＮさせて装置の要部の湿度を調整するので、ジャムの発生の危険性がある場合のみ除湿ヒータ２をＯＮさせることが可能となり、その結果、電源スイッチの状態にかかわらず電力消費効率に優れた除湿をすることができる。
【００３９】
２）操作部１３からユーザによりプリント用紙の属性及びプリント条件を設定入力すると、ジャム記録履歴ＤＢ２０が参照され、そのプリント用紙の属性及びプリント条件の設定と一致するジャム発生情報が検索される。この検索で該当するジャムが検索された場合、同一の設定により過去にジャムが発生したことが分かり、除湿ヒータ２をＯＮした旨を表示部１４に表示するので、ユーザに前回、同じ設定でジャムが発生したこと、及び除湿ヒータ２をＯＮしたことを認識させることができる。
【００４０】
３）ジャム記録履歴ＤＢ２０における同一内容のジャム発生情報の数を集計し、その数をジャム発生回数としてジャム履歴ＤＢ２０に記憶しているので、頻度の高いジャム情報を収集することができる。
【００４１】
４）操作部１３手段を介して、除湿ヒータ２をＯＦＦさせるジャム発生の閾値を設定可能であり、制御部１１で該当ジャム発生回数が前記設定された閾値を超え、除湿ヒータ２の加熱が効果ないと判断した場合には除湿ヒータ２を停止させるので、無駄な消費電力を消費せずに済ますことができる。
【００４２】
５）設定された閾値を超えた際の画像形成装置の動作として、除湿ヒータ２をＯＦＦするか報知手段（表示部１４）によりジャムに除湿ヒータ２が効果ないことを報知し、除湿ヒータ２をＯＮしたままにするかを操作部１３から選択できるので、常に除湿ヒータ２をＯＮさせておくことも可能である。
【００４３】
６）用紙の属性、プリント条件、前述環境条件等のジャムの発生した条件を細分化させることにより、的確に除湿ヒータ２をＯＮできるタイミングを選定できるので、無駄な消費電力を消費せずに済増すことができる。
【００４４】
７）サーバとネットワークを介して接続された画像形成システムにおいて、ジャム発生情報を送受信することによって、他の画像形成装置にジャム発生情報を送信する通信部１９と受信したジャム発生情報を記憶することができるので、より多くのジャム発生情報を収集でき、的確に除湿ヒータ２をＯＮできるタイミングを選定することが可能となる。これにより無駄な消費電力を消費せずに済ますことができる。
【００４５】
８）ジャム発生の閾値を超えた場合はジャム発生条件を管理センタ（サーバ）に送信するので、多発するジャムに対してメンテナンスすることができる。
【図面の簡単な説明】
【００４６】
【図１】本実施形態に係る画像形成装置の全体構成を示す斜視図である。
【図２】図１に示した画像形成装置の制御構成の概略を示すブロック図である。
【図３】履歴管理処理の処理手順を示すフローチャートである。
【図４】ジャム記録履歴ＤＢの内容を示す図である。
【図５】履歴管理処理によるジャム記録履歴ＤＢに記憶されたジャム発生情報に基づいて行われる除湿ヒータの制御手順を示すフローチャートである。
【符号の説明】
【００４７】
１  画像形成装置
２  除湿ヒータ
３  給紙カセット
１１  制御部
１２  除湿ヒータ部
１３  操作部
１４  表示部
１５  記録部
１６  プリンタ
１７  センサ
１８  画像読取部
１９  通信部
２０  ジャム履歴ＤＢ
２１  除湿ヒータ制御回路
【図１】
2009075153.tif 000003
【図２】
2009075153.tif 000004
【図３】
2009075153.tif 000005
【図４】
2009075153.tif 000006
【図５】
2009075153.tif 000007